(57)【特許請求の範囲】
【請求項１】
表示画面と、当該表示画面の反対側に位置された第一面と、前記表示画面と前記第一面との間に亘り前記表示画面および前記第一面と交叉した第二面と、を有した表示装置と、
前記表示画面を覆う透明部を有した入力装置と、
前記表示装置の少なくとも一部が収容され、前記第一面に沿って延びて当該第一面を覆った第一壁部と、当該第一壁部と交叉し前記第二面に沿って延びて当該第二面を覆った第二壁部と、を有した筐体と、
前記筐体内で前記第一面と前記第一壁部との間に位置された回路基板と、
前記回路基板と電気的に接続され、前記筐体内で前記第一面と前記第一壁部との間で、前記表示画面と直交する方向の視線で前記回路基板と重ならない位置に設けられたバッテリと、
前記筐体内に収容され前記回路基板と電気的に接続されたアンテナと、
を備え、
前記筐体が、前記第一壁部の第一領域を含み金属材料で四角形状の板状に構成された第一部材と、前記第一壁部の前記第一領域を取り囲む第二領域と前記第二壁部の少なくとも一部とを含み合成樹脂材料で四角形状の枠状に構成され前記第一部材の周縁部に位置された第二部材と、を含み、
前記アンテナが、前記表示画面と直交する方向の視線で前記第二部材と重なって位置されるとともに、前記表示画面と直交する方向の視線で前記バッテリの前記回路基板とは反対側に位置された、電子機器。
【請求項２】
前記第二領域は、前記表示画面と直交する方向の視線で幅が広い部分と幅が狭い部分とを有し、
前記アンテナが、前記表示画面と直交する方向の視線で前記第二領域の前記幅が広い部分と重なって位置された、請求項１に記載の電子機器。
【請求項３】
前記アンテナの少なくとも一部が、前記筐体の角部に位置された、請求項１または２に記載の電子機器。
【請求項４】
前記第二領域の少なくとも一部が前記第一壁部の端部に沿って位置され、複数の前記アンテナが当該端部に沿った、請求項１〜３のうちいずれか一つに記載の電子機器。
【請求項５】
前記第一領域が前記回路基板と面した、請求項１〜４のうちいずれか一つに記載の電子機器。
【請求項６】
前記回路基板の前記バッテリとは反対側に位置され前記回路基板と電気的に接続されたコネクタを備えた、請求項１〜５のうちいずれか一つに記載の電子機器。
【請求項７】
前記表示装置、前記回路基板、および前記バッテリが結合された第三壁部を有し、前記第一部材および前記第二部材に覆われた第三部材を備えた、請求項１〜６のうちいずれか一つに記載の電子機器。
【請求項８】
前記表示画面の周縁部に位置されるとともに前記第三部材の前記第一壁部とは反対側を覆い前記表示装置および前記第二部材に結合された第四部材を備えた、請求項７に記載の電子機器。
【発明の詳細な説明】
【技術分野】
【０００１】
本発明の実施形態は、電子機器に関する。
【背景技術】
【０００２】
従来、筐体内に表示装置が収容された電子機器が知られている。
【先行技術文献】
【特許文献】
【０００３】
【特許文献１】特開２００５−３３２１１１号公報
【発明の概要】
【発明が解決しようとする課題】
【０００４】
この種の電子機器では、この種の電子機器では、薄型化あるいは軽量化されるにあたって、例えば剛性や強度が低下する等の不都合がより生じにくいことが望ましい。
【０００５】
そこで、本発明の実施形態は、一例として、より不都合の生じにくい新規な構成の電子機器を得ることを目的の一つとする。
【課題を解決するための手段】
【０００６】
本発明の実施形態にかかる電子機器は、表示装置と、入力装置と、筐体と、回路基板と、バッテリと、アンテナと、を備えた。表示装置は、表示画面と、当該表示画面の反対側に位置された第一面と、表示画面と第一面との間に亘り表示画面および第一面と交叉した第二面と、を有した。入力装置は、表示画面を覆う透明部を有した。筐体には、表示装置の少なくとも一部が収容された。筐体は、第一面に沿って延びて当該第一面を覆った第一壁部と、当該第一壁部と交叉し第二面に沿って延びて当該第二面を覆った第二壁部と、を有した。回路基板は、筐体内で第一面と第一壁部との間に位置された。バッテリは、回路基板と電気的に接続され、筐体内で第一面と第一壁部との間で、表示画面と直交する方向の視線で回路基板と重ならない位置に設けられた。アンテナは、筐体内に収容され回路基板と電気的に接続された。筐体は、第一壁部の第一領域を含み金属材料で四角形状の板状に構成された第一部材と、第一壁部の第一領域を取り囲む第二領域と第二壁部の少なくとも一部とを含み合成樹脂材料で四角形状の枠状に構成され第一部材の周縁部に位置された第二部材と、を含み、アンテナは表示画面と直交する方向の視線で第二部材と重なって位置されるとともに、表示画面と直交する方向の視線でバッテリの回路基板とは反対側に位置された。
【図面の簡単な説明】
【０００７】
【図１】図１は、第１実施形態にかかる電子機器の一例が示された正面図である。
【図２】図２は、第１実施形態にかかる電子機器の一例が示された側面図である。
【図３】図３は、第１実施形態にかかる電子機器の一例が示された背面図である。
【図４】図４は、第１実施形態にかかる電子機器の一例が示された分解斜視図である。
【図５】図５は、図１のV−V断面図である。
【図６】図６は、第１実施形態にかかる電子機器に含まれ第三部材に設けられる部品の一例を正面側から見た図である。
【図７】図７は、第１実施形態にかかる電子機器に含まれ第三部材に設けられる部品の一例を背面側から見た図である。
【図８】図８は、第１実施形態にかかる電子機器に含まれる第三部材の一例を正面側から見た図である。
【図９】図９は、第１実施形態にかかる電子機器に含まれる第三部材の一例を背面側から見た図である。
【図１０】図１０は、第１実施形態にかかる電子機器に含まれる第一部材および第二部材の一例を正面側（筐体内側）から見た図である。
【図１１】図１１は、第１実施形態にかかる電子機器におけるアンテナの配置の一例が示された模式図である。
【図１２】図１２は、第１実施形態の第１変形例にかかる電子機器におけるアンテナの配置の別の一例が示された模式図である。
【図１３】図１３は、第１実施形態の第２変形例にかかる電子機器におけるアンテナの配置のさらに別の一例が示された模式図である。
【図１４】図１４は、第２実施形態にかかる電子機器の一例が示された図５と同等位置での断面図である。
【図１５】図１５は、第３実施形態にかかる電子機器の一例が示された図５と同等位置での断面図である。
【図１６】図１６は、第４実施形態にかかる電子機器の斜視図である。
【発明を実施するための形態】
【０００８】
以下の例示的な複数の実施形態および変形例には、同様の構成要素が含まれている。よって、以下では、同様の構成要素には共通の符号が付されるとともに、重複する説明が部分的に省略される。また、各図では、便宜上、方向（Ｘ方向、Ｙ方向、Ｚ方向）が示されている。Ｘ方向は、表示画面４ａに対する正面視での長手方向、Ｙ方向は、表示画面４ａに対する正面視での短手方向、Ｚ方向は表示画面４ａに対する正面視での前方向（筐体３の厚さ方向）である。Ｘ方向、Ｙ方向、およびＺ方向は、相互に直交している。
【０００９】
また、以下の実施形態および変形例では、電子機器が所謂タブレット型（スレート型）あるいはノートブック型（クラムシェル型）のパーソナルコンピュータとして構成された場合が例示されるが、本実施形態にかかる電子機器は、これらには限定されない。本実施形態にかかる電子機器は、例えば、スマートフォンや、スマートブック、携帯電話機、ＰＤＡ（personal digital assistant）、電子辞書装置、映像表示装置、テレビ電話機、ソフトキーボードを有した表示装置等の種々の電子機器として構成することができる。
【００１０】
＜第１実施形態＞
本実施形態では、一例として、図１〜３等からわかるように、電子機器１の筐体３は、正面視および背面視では四角形状（本実施形態では一例として長方形状）の外観を呈している。また、筐体３は、前後方向（筐体３の厚さ方向、Ｚ方向）に薄い偏平な直方体状に構成されている。筐体３は、正面３ａ（前面、表面、面、面部、図５参照）とその反対側の背面３ｂ（後面、裏面、面、面部）と、を有する。正面３ａと背面３ｂとは互いに反対側を向いた姿勢で（本実施形態では一例として平行に）設けられている。筐体３は、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。端部３ｄ，３ｆは、短辺部の一例である。また、筐体３は、正面３ａと背面３ｂとの間に亘った四つの側面３ｐ（面、面部）を有する。なお、複数の側面３ｐは、明確に分離されている必要は無く、屈曲部等を介して滑らかに繋がっていてもよい。また、以下では、便宜上、図２の上側（表示画面４ａの法線方向）を正面側、図２の下側（正面側とは反対側）を背面側と記す。
【００１１】
また、筐体３は、正面側に位置された壁部３ｋ（部分、プレート、フレーム、前壁部、表壁部、天壁部、図５参照）と、背面側に位置された壁部３ｍ（部分、プレート、後壁部、裏壁部、底壁部、第一壁部）と、を有する。壁部３ｋ，３ｍは、四角形状（本実施形態では一例として長方形状）である。壁部３ｋには、四角形状の開口部３ｒが設けられている。よって、壁部３ｋは、四角形状の枠状である。表示装置４の表示画面４ａは、入力操作パネル５の透明部５ａで覆われている。表示画面４ａは、開口部３ｒを介して、視認可能である。壁部３ｋは、表示装置４を囲っている。壁部３ｍは、四角形状の板状である。壁部３ｍは、表示装置４の表示画面４ａの反対側に位置された裏面４ｂ（背面、後面、面、面部、第一面）を覆っている。また、筐体３は、壁部３ｋと壁部３ｍとの間に亘った四つの壁部３ｎ（部分、プレート、側壁部、端壁部、立壁部、亘部、第二壁部）を有する。壁部３ｎは、壁部３ｍと交叉し、表示装置４の側面４ｃ（面、面部、第二面）に沿い、当該側面４ｃを覆っている。なお、壁部３ｍと壁部３ｎとは、必ずしも明確に分離されている必要は無く、屈曲部等を介して滑らかに繋がってもよい。壁部３ｍと壁部３ｎとの断面は、一連の弧状であってもよい。壁部３ｋと壁部３ｎとも、必ずしも明確に分離されている必要は無く、屈曲部等を介して滑らかに繋がってもよい。壁部３ｋと壁部３ｎとの断面も、一連の弧状であってもよい。また、図２に示されるように、壁部３ｎには、コネクタやスイッチ（操作部）等が露出する開口部３ｎ１が設けられている。さらに、筐体３は、図４，５，８，９等に示されるように、壁部３ｋと壁部３ｍとの間に位置された壁部３ｓ（部分、プレート、フレーム、中間壁部、内壁部、ミドルプレート、ミドルフレーム、第三壁部）を有する。壁部３ｓは、壁部３ｍ，３ｋと並んで（本実施形態では、一例として平行に）位置されている。壁部３ｋ，３ｍ，３ｓは、ＸＹ平面に略沿って拡がっている。また、壁部３ｓは、表示装置４の表示画面４ａとは反対側に位置されている。
【００１２】
また、本実施形態では、一例として、図４，５等に示されるように、筐体３は、複数の部品（筐体部材、分割体）が組み合わせられて構成されることができる。本実施形態では、一例として、筐体３は、第一部材３１、第二部材３２、第三部材３３、および第四部材３４を有している。第一部材３１（後側部材、外側部材、板状部材、中央側部材、ベース、ボトム、リヤカバー、バックカバー）は、壁部３ｍの一部を構成している。第二部材３２（後側部材、外側部材、枠状部材、周縁側部材、ベース、ボトム、リヤフレーム、バックフレーム）は、壁部３ｍの一部と壁部３ｎの一部とを構成している。第三部材３３（中間部材、内側部材、ミドルフレーム、ミドルプレート）は、壁部３ｋと壁部３ｍとの間に位置された壁部３ｓの一部を構成している。第四部材３４（前側部材、外側部材、枠状部材、フロントカバー、フロントベゼル）は、壁部３ｋの一部を構成している。筐体３を構成する複数の部材（本実施形態では、一例として、第一部材３１、第二部材３２、第三部材３３、および第四部材３４）は、嵌合（スナップフィット）や、接着、溶着、固定具（例えば、ねじやクリップ等）を用いた結合等によって、互いに結合される。
【００１３】
また、本実施形態では、一例として、第一部材３１は、金属材料で構成され、第二部材３２、第三部材３３、および第四部材３４は、合成樹脂材料（プラスチック、エンジニアリングプラスチック）で構成される。よって、本実施形態によれば、一例としては、筐体３の軽量化や薄型化と、剛性や強度の向上とが、両立されやすい。なお、金属材料としては、例えば、アルミニウム合金や、マグネシウム合金、ステンレススチール等を用いることができる。第一部材３１は、第二部材３２、第三部材３３、および第四部材３４に比べて、導電性が高く（導電性を有し）、電磁波の透過率が低く（電磁波が殆ど通らない、遮蔽される）、熱伝導性が高く、密度（比重）が大きい。すなわち、換言すれば、第二部材３２、第三部材３３、および第四部材３４は、第一部材３１に比べて、導電性が低く（導電性を有さず）、電磁波の透過率が高く（電磁波を通す）、熱伝導性が低く、密度（比重）が小さい。
【００１４】
また、本実施形態では、一例として、図４に示されるように、筐体３内には、表示装置４（表示部、ディスプレイ、パネル、表示部品）の少なくとも一部が収容されている。使用者は、正面側（前方側）から開口部３ｒを介して表示画面４ａを視認することができる。表示装置４は、正面視では四角形状（本実施形態では一例として長方形状）の外観を呈している。また、表示装置４は、前後方向（Ｚ方向、筐体３の厚さ方向）に薄い偏平な直方体状に構成されている。表示装置４は、例えば、液晶ディスプレイ（ＬＣＤ，liquid crystal display）や、有機ＥＬディスプレイ（ＯＥＬＤ，organic electro-luminescent display）等である。また、本実施形態では、表示装置４の正面側（前側、表側）には、透明部を有した比較的薄い四角形状の入力操作パネル５（タッチパネル、タッチセンサ、操作面、入力操作部、入力受付部、入力部、入力装置）が設けられている。
【００１５】
また、本実施形態では、一例として、図４〜９等に示されるように、筐体３内には、表示装置４の後側（裏側、背後側、壁部３ｍ側、表示画面４ａとは反対側）に、電気部品として、バッテリ６（セル、組電池、モジュール、バッテリモジュール、バッテリユニット）や、基板７（回路基板、プリント基板、制御基板）、バッテリフレーム８（フレーム、ブラケット、取付部品）、カメラモジュール９（カメラユニット、カメラアセンブリ、撮像装置）、アンテナモジュール１０（アンテナユニット、アンテナアセンブリ、アンテナ装置、アンテナ）、コネクタモジュール１１（コネクタユニット、コネクタアセンブリ、コネクタ装置、コネクタ）等の電気部品が含まれている。これら電気部品は、配線１２（ケーブル、フレキシブルケーブル、フレキシブルプリント配線板等）を介して、それぞれ他の電気部品と電気的に接続されている。また、筐体３内には、図示されないが、スピーカモジュール（スピーカユニット、スピーカアセンブリ、音声出力装置）や、振動発生部（一例としては、回転シャフトに偏心錘が取り付けられたモータ）等が収容されうる。また、図６，７に示されるように、基板７には、種々の部品１３（電気部品、電子部品、素子、チップ、パッケージ等）が設けられている（実装されている）。
【００１６】
本実施形態では、一例として、図４，５に示されるバッテリ６は、リチウムイオン二次電池として構成されることができる。本実施形態では、一例として、表示装置４の他、筐体３に装備された電気部品に、配線１２等を介して、電子機器１が映像を表示したり音声を出力したりといった動作を行うために必要な電源電力を供給することができる。また、バッテリ６は、配線１２や、導体部（バスバー、図示されず）、コネクタモジュール１１等を介して基板７等に接続された外部装置等に電力を供給することもできる。また、本実施形態では、一例として、図４に示されるように、バッテリ６は、正面視や背面視では四角形状の外観を呈し、筐体３の厚さ方向に薄い偏平な形状を有している。また、バッテリフレーム８は、バッテリ６の周縁部に沿って延びた四角形状の枠状に構成されている。
【００１７】
本実施形態では、一例として、図６，７に示されるように、基板７には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品１３を実装することができる。部品１３には、発熱体が含まれる。また、基板７（の部品１３）には、冷却装置（冷却機構、図示されず）を設けることができる。冷却装置は、一例としては、板状部と冷却シートとを有することができる。板状部は、熱伝導性の高い材料（例えば、アルミニウム合金等の金属材料）で構成される。冷却シートは、板状部の一面（基板７側の面）に接着等されて設けられ弾性（可撓性）を有する。
【００１８】
また、本実施形態では、一例として、基板７および部品１３によって、制御回路（図示されず）の少なくとも一部が構成されている。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、フラッシュメモリ、ＲＯＭ（read only memory）、ＲＡＭ（random access memory）、ＨＤＤ（hard disk drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００１９】
そして、本実施形態では、一例として、図８，９に示される第三部材３３に、基板７や、バッテリ６、表示装置４等が、固定具（例えばねじ等）によって、固定される（取り付けられる）。第三部材３３には、開口部３３ａ，３３ｂが設けられている。よって、第三部材３３は、枠状に構成されている。開口部３３ａは、バッテリ６（図４参照）で覆われ、開口部３３ｂは基板７（図４参照）で覆われる。図４に示されるように、バッテリ６および基板７は、壁部３ｓの裏面３３ｃ（後面、面、面部）側に取り付けられる。壁部３ｓの正面３３ｄ（前面、表面、面、面部）には、表示装置４が位置される。表示装置４と入力操作パネル５とが一体化されてパネルユニット１４（サブアセンブリ）が構成される。図５に示されるように、入力操作パネル５は、表示装置４の正面側（前側）に位置されるとともに、表示装置４の周縁部側（側方側）に張り出している。入力操作パネル５のうち、表示画面４ａと重なった領域は、透明部５ａである。透明部５ａを囲う周縁部５ｂは、表示装置４の表示画面４ａの外側（表示画面４ａの中心から離れる方向）に張り出している。本実施形態では、一例として、入力操作パネル５（パネルユニット１４）の周縁部５ｂが、弾性かつ可撓性を有した粘着シート１５を介して、壁部３ｓの正面３３ｄに取り付けられている。また、本実施形態では、一例として、図８，９に示されるように、壁部３ｓには、取付部３３ｅ（本実施形態では、一例として開口部、貫通孔、切欠等）が設けられている。さらに、図９に示されるように、壁部３ｓには、リブ３３ｆ（壁部、突出部）が設けられている。リブ３３ｆにより、壁部３ｓ（第三部材３３）の剛性が向上されている。
【００２０】
また、本実施形態では、一例として、図３，４，５，１０等に示されるように、筐体３の壁部３ｍおよび壁部３ｎは、第一部材３１と第二部材３２によって構成されている。壁部３ｍは、第一部材３１と第二部材３２とによって構成され、壁部３ｎは第二部材３２によって構成されている。図３，１０に示されるように、壁部３ｍにおける第一部材３１の領域は第一領域Ａｒ１であり、壁部３ｍにおける第二部材３２の領域は第二領域Ａｒ２である。第二領域Ａｒ２は、第一領域Ａｒ１を取り囲んでいる。第一領域Ａｒ１（第一部材３１）は四角形状の板状であり、第二領域Ａｒ２（第二部材３２）は四角形状の枠状である。また、第二領域Ａｒ２は、筐体３の複数（本実施形態では、一例として四つ）の端部３ｃ〜３ｆ（辺部）に沿っている。複数の端部３ｃ〜３ｆは、第二部材３２によって構成されている。また、第二領域Ａｒ２は、角部３ｇ〜３ｊを介して互いに隣り合った二つの端部（端部３ｃと端部３ｄ、端部３ｄと端部３ｅ、端部３ｅと端部３ｆ、端部３ｆと端部３ｃ）に亘って延びている。このように、本実施形態では、一例として、壁部３ｍならびに壁部３ｎに関しては、壁部３ｍの中央部側が第一部材３１で構成され、当該壁部３ｍの中央部とは反対側（外側）が第二部材３２で構成され、第二部材３２が、壁部３ｍの周縁部と壁部３ｎとの間に亘っている。また、第二部材３２の内面３２ｂ（面、面部）には、壁部３ｍと壁部３ｎとの間に亘るリブ３２ｃ（壁部、突起）等が設けられている。また、第一部材３１の外面３１ａ（面、表面、背面、後面、面部）と、これに隣接した（並んだ）第二部材３２の外面３２ａ（面、表面、背面、後面、面部）とは、それらの境界部分を除いて滑らかに連続した状態に（連なって、面一に、角度変化が殆ど無い状態に）構成されている。
【００２１】
第一部材３１は、上述したように、一例としては、アルミニウム合金やマグネシウム合金等の金属材料で構成されている。第一部材３１は、一例としては、圧延やプレス成形等されて構成されることができる。また、第一部材３１は、ダイキャスト（鋳造）等によって構成されることができる。圧延やプレス成形等した場合の方が、ダイキャスト（鋳造）した場合より、製造の手間ならびにコストが低減される場合がある。一方、第二部材３２は、上述したように、一例としては、熱可塑性樹脂や結晶性樹脂等の合成樹脂材料で構成されている。第二部材３２は、一例としては、射出成形等で構成されることができる。
【００２２】
本実施形態では、一例として、壁部３ｍにおける第一部材３１の厚さＴｈ１（第一領域Ａｒ１の一般部における平均的な厚さ）は、壁部３ｍにおける第二部材３２の厚さＴｈ２（第二領域Ａｒ２の一般部（リブや突起等が無い領域）における平均的な厚さ）より薄い（小さい）。また、壁部３ｎにおける第二部材３２の厚さＴｈ３は、壁部３ｍにおける第二部材３２の厚さＴｈ２より厚い（大きい）。すなわち、壁部３ｍ，３ｎの厚さについては、Ｔｈ１＜Ｔｈ２＜Ｔｈ３である。
【００２３】
このように、本実施形態では、一例として、壁部３ｍの中央部分が金属材料（第一部材３１）で構成され、壁部３ｍの周縁部分が合成樹脂材料（第二部材３２）で構成されている。よって、壁部３ｍの中央部分を合成樹脂材料で構成した場合に比べて、筐体３の剛性がより高くなりやすい。すなわち、同等の剛性を確保するという観点では、壁部３ｍの中央部分を合成樹脂材料で構成した場合より金属材料で構成した方が、筐体３が薄くなりやすい。また、本実施形態では、一例として、壁部３ｍの周縁部および壁部３ｎは、合成樹脂材料で一体的に（連続的に、同一部材で、同一の成形工程での成形で）構成されている。よって、本実施形態によれば、一例としては、壁部３ｍの周縁部および壁部３ｎに設けられたリブや凹凸構造の効果も含めて、壁部３ｍの周縁部および壁部３ｎの剛性がより高まりやすい。
【００２４】
また、本実施形態では、一例として、壁部３ｍの中央部分が、合成樹脂材料（第二部材３２）より電磁波遮蔽性が高い材料（電磁波遮蔽性材料、導電性材料、導体、金属材料、第一部材３１）で構成されている。よって、一例としては、筐体３内に収容された基板７や、カメラモジュール９、コネクタモジュール１１、部品１３（電気部品、電子部品）等に対する外部からのノイズの影響や、筐体３の外部へのノイズの影響が抑制されやすい。
【００２５】
また、本実施形態では、一例として、壁部３ｍの中央部分が、合成樹脂材料（第二部材３２）より導電性の高い材料（導電性材料、導体、金属材料、第一部材３１）で構成されている。よって、一例としては、壁部３ｍの中央部分を利用して、当該筐体３内の複数の部位（部品、電気部品、電子部品、基板７等）でグラウンド電位が共通化されやすい。なお、図１０に示されるように、第一部材３１の内面３１ｂの部品１３に面した部分（対向した部分）には、表面処理が施されていない露出部３１ｃが設けられている。露出部３１ｃ以外は、絶縁性の被膜を作る表面処理が施されている。よって、露出部３１ｃは導体部分である。
【００２６】
また、本実施形態では、一例として、壁部３ｍの中央部分が、合成樹脂材料（第二部材３２）より熱伝導性の高い材料（金属材料、第一部材３１）で構成されている。よって、一例としては、筐体３内に収容されたバッテリ６や、部品１３（電気部品、電子部品）等の発熱体が、より熱伝導性の高い材料に面し、発熱体で生じた熱が、壁部３ｍの中央部分を介して筐体３の外部へ出やすい。よって、一例としては、筐体３内での過熱が抑制されやすい。また、本実施形態では、一例として、壁部３ｍの周縁部分（外縁部分、縁部分、周囲）が、金属材料（第一部材３１）より熱伝導性の低い材料（合成樹脂材料、第二部材３２）で構成されている。よって、一例としては、壁部３ｍの中央部分より周縁部を持つ場合が多いユーザに、熱が伝わりにくい。
【００２７】
さらに、本実施形態では、一例として、図５，６，７に示されるように、第二部材３２とバッテリ６および基板７とが、筐体３の厚さ方向（表示画面４ａに対する正面視、Ｚ方向）の視線では外れて（重ならないように）配置されている。よって、一例としては、筐体３の厚さがそれほど大きくならずに第二部材３２の厚さをより大きく設定しやすい。よって、一例としては、筐体３の剛性をより高く設定しやすい。また、かかる構成は、電磁波遮蔽性、導電性、ならびに熱伝導性の観点からもより高い効果がえられやすい。
【００２８】
また、本実施形態では、一例として、上述した第一部材３１と第二部材３２との配置を利用して、筐体３内に、アンテナモジュール１０が設けられている。すなわち、本実施形態では、一例として、図６，１１に示されるように、複数のアンテナモジュール１０（アンテナ）が、第二部材３２が延びた端部３ｆに寄って、かつ当該端部３ｆに沿って設けられている。本実施形態では、一例として、アンテナモジュール１０の通信部１０ａ（アンテナ部、グラウンド部分（グラウンド電極）や支持部１０ｂ（根元部）を除く領域、筐体３の中心から離れた端部）は、筐体３の厚さ方向（表示画面４ａに対する正面視、Ｚ方向）の視線では第一部材３１とは重ならず、第二部材３２と重なっている。このような構成により、一例として、第一部材３１によってアンテナモジュール１０による通信（送信および受信）が阻害されるのが抑制されている。さらに、本実施形態では、一例として、第二部材３２が、角部３ｉを介して端部３ｅと端部３ｆとに亘って設けられている。よって、アンテナモジュール１０が、角部３ｉに寄って位置されやすい。よって、本実施形態によれば、一例としては、筐体３内での部品のレイアウトの効率が向上されやすい。また、本実施形態によれば、一例としては、角部３ｉに位置されたアンテナモジュール１０については、筐体３内の部品１３等との距離がより遠くなる。よって、一例としては、アンテナモジュール１０あるいは部品１３等で、ノイズ混入や相互干渉等の不都合が生じるのが抑制されやすい。また、種々の通信方式（例えば、無線ＬＡＮ（local area network）、３Ｇ（第３世代移動通信システム）、ＬＴＥ（long term evolution）、ＧＰＳ（global positioning system）、テレビ放送等）に対応した複数のアンテナモジュール１０が搭載される場合や、ダイバーシティに対応するため複数のアンテナモジュール１０が搭載される場合等に、それら複数のアンテナモジュール１０が筐体３内により効率良く配置されやすい。なお、アンテナモジュール１０やその通信部１０ａの全域が筐体３の厚さ方向に第二部材３２と重なっている必要は無く、これらの重なり度合いは問題が生じないあるいは生じにくい範囲で適宜に設定される。また、図１２の第一変形例に示されるように、アンテナモジュール１０の数は適宜に変更することができる。また、図１３の第二変形例に示されるように、アンテナモジュール１０を長手方向の両側の端部３ｄ，３ｆに設けることができる。また、一例として、図１１〜１３に示されるように、端部３ｄ，３ｆにおいてアンテナモジュール１０が設けられた領域とカメラモジュール９が設けられた領域とを分けることができる。また、長手方向が横を向いた姿勢において通常使用される上下方向（筐体３の姿勢）が定められている場合、カメラモジュール９を上側（図１１〜１３の上側）に配置し、アンテナモジュール１０を下側（図１１〜１３の下側）に配置するのが、カメラモジュール９による撮影が容易に行える分、便利である。また、第二部材３２が、角部３ｊを介して端部３ｆと端部３ｃとに亘って設けられている。よって、カメラモジュール９は、角部３ｊに寄せて配置されやすい。
【００２９】
アンテナモジュール１０としては、例えば、より細いアンテナモジュールや、より小型のアンテナモジュール、通信装置が端に寄ったアンテナモジュール、筐体３に沿って傾いたアンテナモジュール、屈曲されたアンテナモジュール、湾曲されたアンテナモジュール等、種々のスペック（形状、大きさ、厚さ、方式、数等）のものを配置することができる。また、アンテナモジュール１０の平面視での形状も種々に設定することができる。
【００３０】
また、本実施形態では、一例として、図６に示されるように、アンテナモジュール１０は、バッテリ６の基板７とは反対側に位置されている。すなわち、アンテナモジュール１０と基板７との間にバッテリ６が位置されている。よって、本実施形態によれば、一例としては、アンテナモジュール１０と基板７に設けられた部品１３等との間で、ノイズ混入や相互干渉等の問題がより生じ難い。
【００３１】
また、本実施形態では、一例として、図６に示されるように、コネクタモジュール１１は、基板７のバッテリ６とは反対側に位置されている。よって、本実施形態によれば、一例としては、コネクタモジュール１１を基板７に設けやすい。あるいは、コネクタモジュール１１と基板７の部品１３との間の配線１２がより短くなりやすい。
【００３２】
また、本実施形態では、一例として、図６に示されるように、コネクタモジュール１１、基板７、バッテリ６、アンテナモジュール１０が、筐体３の長手方向に沿って、この順に並んでいる。よって、本実施形態では、一例としては、配線１２の短さや、各部品のレイアウト性、ノイズ混入、相互干渉等の点で、有利である。
【００３３】
以上、説明したように、本実施形態では、一例として、筐体３が、壁部３ｍの第一領域Ａｒ１を含み金属材料で構成された第一部材３１と、壁部３ｍの第一領域Ａｒ１を取り囲む第二領域Ａｒ２と壁部３ｎの少なくとも一部とを含み合成樹脂材料で構成された第二部材３２と、を含み、アンテナモジュール１０が第二部材３２と重なって位置された。よって、本実施形態によれば、一例としては、金属材料で構成された第一部材３１によってアンテナモジュール１０による通信に支障が生じるのが抑制されやすい。
【００３４】
また、本実施形態では、一例として、第二領域Ａｒ２の少なくとも一部が壁部３ｍの端部３ｃ〜３ｆに沿って位置され、複数のアンテナモジュール１０が当該端部３ｃ〜３ｆに沿った。よって、本実施形態によれば、一例としては、複数のアンテナモジュール１０が筐体３内でより効率良く配置されやすい。
【００３５】
また、本実施形態では、一例として、第一領域Ａｒ１（第一部材３１）が基板７と面した。すなわち、本実施形態では、一例としては、基板７に設けられた部品１３が第一領域Ａｒ１で覆われる。よって、本実施形態によれば、一例としては、基板７の部品１３に対する電磁波の影響、あるいは部品１３からの電磁波の影響が抑制されやすい。また、第一領域Ａｒ１が基板７に設けられた部品１３のグラウンドとして用いられやすい。また、一例としては、基板７に設けられた部品１３等の発熱体で生じた熱が、第一領域Ａｒ１へ伝達されやすい。よって、一例としては、放熱性が高まりやすい。
【００３６】
また、本実施形態では、一例として、筐体３は、表示装置４、基板７、およびバッテ６リが結合された壁部３ｓを有し、第一部材３１および第二部材３２に覆われた第三部材３３を備えた。よって、本実施形態によれば、一例としては、筐体３内で、第三部材３３によって、種々の部品がより効率良くあるいはより強固に支持されやすい。
【００３７】
また、本実施形態では、一例として、筐体３は、表示画面４ａの周縁部に位置されるとともに第三部材３３の壁部３ｍとは反対側を覆い表示装置４および第二部材３２に結合された第四部材３４を備えた。よって、本実施形態によれば、一例としては、筐体３の表示画面４ａ側を覆う構成が、より簡素な構成として得られやすい。
【００３８】
＜第２実施形態＞
本実施形態にかかる電子機器１Ａでは、一例として、図１４に示されるように、第二部材３２が、筐体３Ａの内面３ｔから突出した壁部３ｕ，３ｖ（リブ、突出部）を有している。これら壁部３ｕ，３ｖは、壁部３ｎに沿って、壁部３ｎと間隔をあけて、壁部３ｎと略平行に延びている。また、壁部３ｕ，３ｖ間には、壁部３ｕ，３ｖと交叉する（本実施形態では、一例として直交する）方向に延びて、壁部３ｕ，３ｖを繋ぐ壁部３ｗ（リブ、突出部）が設けられている。また、壁部３ｖは、第一部材３１と第二部材３２との接合部と重なって（接合部の近くに）位置されている。本実施形態によれば、一例としては、壁部３ｕ，３ｖ，３ｗ等を有した分、第二部材３２の剛性がより向上され、ひいては、筐体３Ａの剛性がより向上される。アンテナモジュール１０は、壁部３ｕ，３ｖに設けられている。よって、アンテナモジュール１０は、より安定的に筐体３Ａに支持される。本実施形態にかかる電子機器１Ａによっても、上記実施形態にかかる電子機器１と同様の構成に基づく同様の結果が得られる。
【００３９】
＜第３実施形態＞
本実施形態にかかる電子機器１Ｂでは、一例として、図１５に示されるように、第一部材３１（第一領域Ａｒ１）が上記実施形態に比べて狭い（小さい）。また、筐体３Ｂ内では、偏平なバッテリ６と部品（図示されず）が実装された偏平な基板７と（筐体３Ｂ内の部品）が、内面３ｔに接した状態に設けられている。バッテリ６および基板７は、一例としては壁部３ｍの内面３ｔに接着剤あるいはシート状の接合部材等を介して接着されている。よって、一例としては、バッテリ６や基板７等の部品を筐体３Ｂに設ける構成がより簡素化されやすい。よって、一例としては、電子機器１Ｂが軽量化あるいは薄型化されやすい。また、本実施形態では、一例として、表示装置４および入力操作パネル５（パネルユニット１４、サブアセンブリ）は、第二部材３２の壁部３ｎに固定（結合、接続、取り付け）されている。本実施形態にかかる電子機器１Ｂによっても、上記実施形態にかかる電子機器１，１Ａと同様の構成に基づく同様の結果が得られる。
【００４０】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。本発明は上記実施形態には限定されず、種々の変形が可能である。一例としては、第一部材が、金属材料以外の材料（例えば、炭素繊維を含む材料や、剛性や、電磁波遮蔽性、導電性、熱伝導性等を向上させるフィラーを含む合成樹脂材料等）で構成された場合も、上記実施形態と同様の結果が得られる。また、第一部材および第二部材が両方とも合成樹脂材料（をベースとする材料）である場合、筐体の壁部を、所謂二色成形によって構成することも可能である。また、第二部材が合成樹脂材料以外のものであってもよい。また、図１６の第４実施形態にかかる電子機器１Ｃのように、筐体２Ｃと筐体３Ｃとがヒンジ部１９（接続部）を介して回動可能に接続された、折り畳み式（ノートブック型、クラムシェル型）の構成（筐体３Ｃ）にも、本発明は適用可能である。筐体２Ｃには、入力操作部（入力部、入力受付部）として、キーボード１６や、ポインティングデバイス１７（タッチパッド）、クリックボタン１８等が設けられている。筐体３Ｃには、表示装置４や、入力操作パネル５、基板（図示されず）、アンテナ（図示されず）等が収容されている。また、上記各実施形態の技術的特徴は、適宜に組み合わせたり置換したりして実施することができる。また、各構成や各部位のスペック（構造や、種類、方向、形状、大きさ、長さ、幅、厚さ、高さ、数、配置、位置、材質等）は、適宜に変更して実施することができる。
なお、以下に、本願の出願時の特許請求の範囲に記載された発明を付記する。
［１］
表示画面と、当該表示画面の反対側に位置された第一面と、前記表示画面と前記第一面との間に亘り前記表示画面および前記第一面と交叉した第二面と、を有した表示装置と、
前記表示画面を覆う透明部を有した入力装置と、
前記表示装置の少なくとも一部が収容され、前記第一面に沿って延びて当該第一面を覆った第一壁部と、当該第一壁部と交叉し前記第二面に沿って延びて当該第二面を覆った第二壁部と、を有した筐体と、
前記筐体内で前記第一面と前記第一壁部との間に位置された回路基板と、
前記回路基板と電気的に接続され、前記筐体内で前記第一面と前記第一壁部との間に前記回路基板と並んで位置されたバッテリと、
前記筐体内に収容され前記回路基板と電気的に接続されたアンテナと、
を備え、
前記筐体が、前記第一壁部の第一領域を含み金属材料で構成された第一部材と、前記第一壁部の前記第一領域を取り囲む第二領域と前記第二壁部の少なくとも一部とを含み合成樹脂材料で構成された第二部材と、を含み、
前記アンテナが前記第二部材と重なって位置された、電子機器。
［２］
前記アンテナの少なくとも一部が、前記筐体の角部に位置された、［１］に記載の電子機器。
［３］
前記第二領域の少なくとも一部が前記第一壁部の端部に沿って位置され、複数の前記アンテナが当該端部に沿った、［１］または［２］に記載の電子機器。
［４］
前記アンテナが、前記バッテリの前記回路基板とは反対側に位置された、［１］〜［３］のうちいずれか一つに記載の電子機器。
［５］
前記第一領域が前記回路基板と面した、［１］〜［４］のうちいずれか一つに記載の電子機器。
［６］
前記回路基板の前記バッテリとは反対側に位置され前記回路基板と電気的に接続されたコネクタを備えた、［１］〜［５］のうちいずれか一つに記載の電子機器。
［７］
前記表示装置、前記回路基板、および前記バッテリが結合された第三壁部を有し、前記第一部材および前記第二部材に覆われた第三部材を備えた、［１］〜［６］のうちいずれか一つに記載の電子機器。
［８］
前記表示画面の周縁部に位置されるとともに前記第三部材の前記第一壁部とは反対側を覆い前記表示装置および前記第二部材に結合された第四部材を備えた、［７］に記載の電子機器。
［９］
表示画面と、当該表示画面の反対側に位置された第一面と、前記表示画面と前記第一面との間に亘り前記表示画面および前記第一面と交叉した第二面と、を有した表示装置と、
前記表示装置の少なくとも一部が収容され、前記第一面に沿って延びて当該第一面を覆った第一壁部と、当該第一壁部と交叉し前記第二面に沿って延びて当該第二面を覆った第二壁部と、を有した筐体と、
前記筐体内で前記第一面と前記第一壁部との間に位置された電気部品と、
を備え、
前記筐体が、前記第一壁部の端部に沿って環状に延び第一の材料で構成された第一の部材と、この第一の部材より前記第一壁部の中央側に位置され第二の材料で構成された板状の第二の部材と、を含んだ、電子機器。
［１０］
表示画面と、当該表示画面の反対側に位置された第一面と、前記表示画面と前記第一面との間に亘り前記表示画面および前記第一面と交叉した第二面と、を有した表示装置と、
前記表示装置の少なくとも一部が収容され、前記第一面に沿って延びて当該第一面を覆った第一壁部と、当該第一壁部と交叉し前記第二面に沿って延びて当該第二面を覆った第二壁部と、を有した筐体と、
前記筐体内で前記第一面と前記第一壁部との間に位置された電気部品と、
を備え、
前記筐体が、前記第一壁部の互いに隣接する複数の端部に沿って延び合成樹脂材料で構成された第一の部材と、この第一の部材より前記第一壁部の中央側に位置され金属材料で構成された第二の部材と、を含んだ、電子機器。
【符号の説明】
【００４１】
１，１Ａ〜１Ｃ…電子機器、３，３Ａ〜３Ｃ…筐体、３ｃ〜３ｆ…端部、３ｇ〜３ｊ…角部、３ｍ…壁部（第一壁部）、３ｎ…壁部（第二壁部）、３ｓ…壁部、３１…第一部材、３２…第二部材、３３…第三部材、３４…第四部材、４…表示装置、４ａ…表示画面、４ｂ…裏面（第一面）、４ｃ…側面（第二面）、５…入力操作パネル（入力装置）、５ａ…透明部、６…バッテリ、７…基板（回路基板）、１０…アンテナモジュール（アンテナ）、１１…コネクタモジュール、Ａｒ１…第一領域、Ａｒ２…第二領域。
【図１】
0005417477.tif 000002
【図２】
0005417477.tif 000003
【図３】
0005417477.tif 000004
【図４】
0005417477.tif 000005
【図５】
0005417477.tif 000006
【図６】
0005417477.tif 000007
【図７】
0005417477.tif 000008
【図８】
0005417477.tif 000009
【図９】
0005417477.tif 000010
【図１０】
0005417477.tif 000011
【図１１】
0005417477.tif 000012
【図１２】
0005417477.tif 000013
【図１３】
0005417477.tif 000014
【図１４】
0005417477.tif 000015
【図１５】
0005417477.tif 000016
【図１６】
0005417477.tif 000017